(57)【要約】【課題】コネクタ組立体から電力線を迅速に接続及び接続解除することができる電力用コネクタの提供。【解決手段】コネクタ組立体（２）は、回路基板等に電力を供給するものである。電気コネクタはハウジング（１０）を有し、ハウジングは電線受容面（１４）から嵌合面（１２）に延びるコンタクト受容キャビティを有する。コンタクト受容キャビティに隣接して、嵌合面から電線受容面に向って延びる整列キャビティ（４８，７８）が配置される。コンタクト（８０，９０）はコンタクト受容キャビティ内に配置される。各コンタクトは電線受容部及び接触部を有する。電線受容部は、電線受容部に接続された電力線（８９，９９）を有する。接触部は、嵌合面近傍のコンタクト受容キャビティ内に配置される。コネクタラッチアーム（２４）が、ハウジングから延びており、嵌合面近傍にラッチ突起（２８）を有する。ラッチ突起はハウジングに対して移動可能である。【選択図】図１
2010067606.tif 000002
【特許請求の範囲】
【請求項１】
ハウジング（１０）、リセプタクルコンタクト（８０）、ブレードコンタクト（９０）及びコネクタラッチアーム（２４）を具備する電気コネクタ組立体（２）であって、
前記ハウジングは、少なくとも１個のリセプタクルコンタクト受容キャビティ（３２）と、電線受容面（１４）から嵌合面（１２）に延びる少なくとも１個のブレードコンタクト受容キャビティ（６２）とを有し、
前記少なくとも１個のリセプタクルコンタクト受容キャビティ及び前記少なくとも１個のブレードコンタクト受容キャビティに隣接して、整列キャビティ（４８，７８）が配置され、
該整列キャビティは、前記嵌合面から前記電線受容面に向って延びており、
前記リセプタクルコンタクトは、前記少なくとも１個のリセプタクルコンタクト受容キャビティ内に配置されており、リセプタクル電線受容部（８１）及びリセプタクル接触部（８５）を有し、
該リセプタクル接触部は、前記嵌合面近傍の前記少なくとも１個のリセプタクルコンタクト受容キャビティに配置され、
前記ブレードコンタクトは、前記少なくとも１個のブレードコンタクト受容キャビティ内に配置されており、ブレード電線受容部（９１）及びブレード接触部（９５）を有し、
前記ブレード接触部は、前記嵌合面近傍の少なくとも１個のブレードコンタクト受容キャビティ内に配置され、
前記コネクタラッチアームは、前記ハウジングから延びており、前記嵌合面近傍にラッチ突起（２８）を有し、
該ラッチ突起は、前記ハウジングに対して移動可能であることを特徴とする電気コネクタ。
【請求項２】
前記少なくとも１個のリセプタクルコンタクト受容キャビティは、該少なくとも１個のリセプタクルコンタクト受容キャビティ内に延びる第１ラッチアーム突起（４６）及び第１保持肩（４２）を有し、
前記第１ラッチアーム突起及び前記第１保持肩は、前記リセプタクルコンタクトのリセプタクル実装肩（８４）と協働し、前記少なくとも１個のリセプタクルコンタクト受容キャビティ内に前記リセプタクルコンタクトを保持することを特徴とする請求項１記載の電気コネクタ。
【請求項３】
前記第１ラッチアーム突起は、前記少なくとも１個のリセプタクルコンタクト受容キャビティから前記第１ラッチアーム突起を移動するよう弾性変位可能な第１コンタクトラッチアーム（４４）に設けられ、これにより、前記少なくとも１個のリセプタクルコンタクト受容キャビティから前記リセプタクルコンタクトを取り外すことができることを特徴とする請求項２記載の電気コネクタ。
【請求項４】
前記少なくとも１個のブレードコンタクト受容キャビティは、該少なくとも１個のブレードコンタクト受容キャビティ内に延びる第２ラッチアーム突起（７６）及び第２保持肩（７２）を有し、
前記第２ラッチアーム突起及び前記第２保持肩は、前記ブレードコンタクトのブレード実装肩（９４）と協働し、前記少なくとも１個のブレードコンタクト受容キャビティ内に前記ブレードコンタクトを保持することを特徴とする請求項１記載の電気コネクタ。
【請求項５】
前記第２ラッチアーム突起は、前記少なくとも１個のブレードコンタクト受容キャビティから前記第２ラッチアーム突起を移動するよう弾性変位可能な第２コンタクトラッチアーム（７４）に設けられ、これにより、前記少なくとも１個のブレードコンタクト受容キャビティから前記ブレードコンタクトを取り外すことができることを特徴とする請求項４記載の電気コネクタ。
【請求項６】
前記少なくとも１個のリセプタクルコンタクト受容キャビティは、相手コンタクト受容部（４０）を区画する壁（５０，５２）を有し、
該壁は、該壁を貫通するスロット（５４，５６）を有することを特徴とする請求項１項記載の電気コネクタ。
【請求項７】
前記リセプタクルコンタクトは、前記壁の前記スロットと整列すると共に相手コネクタが前記リセプタクルコンタクトと嵌合する際に前記壁の前記スロット内に移動する弾性接触アーム（８６）を有することを特徴とする請求項６記載の電気コネクタ。
【請求項８】
前記リセプタクル電線受容部及び前記ブレード電線受容部は、該リセプタクル電線受容部及び該ブレード電線受容部に接続された電力線（８９，９９）を有することを特徴とする請求項１記載の電気コネクタ。
【発明の詳細な説明】
【技術分野】
【０００１】
本発明は、電源コネクタ組立体に関し、特に電気パネル部材と共に使用するための電源コネクタ組立体に関する。
【背景技術】
【０００２】
コネクタ組立体は、コンピュータ、プリンタ、補助ハードウエア等の部品間に電力、電気又は電子の制御信号を提供することが要求されている。これらの部品は、所望の電気制御を与えるために小型部品と共に装着される印刷回路基板等のパネル部材を含むことが多い。コネクタ組立体は、パネル部材の一端に隣接して固定されたハウジングから延びる電気コンタクトを有するのが代表的である。相手コネクタ組立体は、コネクタ組立体を受容するよう構成される。部品の作動信頼性は、接続の完全性に直接影響される。すなわち、コンタクト間が不十分に電気的接続されると、部品は意図通りに作動することができない。多くの従来技術において、隣接するパネル間の電気コネクタ組立体は、電気コネクタ組立体を互いに向って一方向にのみ移動させることにより結合することができるよう構成されている。
【０００３】
特許文献１及びタイコ・エレクトロニクス・コーポレイション取付適用規格１１４−１３２２５  リビジョンＢは、第２パネル部材に固定された第２コネクタ組立体と電気的に結合するためにパネル部材に固定されたコネクタ組立体を開示する。各コネクタ組立体は第１コンタクトを有する。第１コンタクトは、互いに所定の第１間隔で配置された第１部分及び第２部分を有する。第２コンタクトは、第２部分から所定の第２間隔で配置される。第１コンタクトの所定の第１間隔は、第２コネクタ組立体の第２コンタクトを受容するよう構成され配置されている。コネクタ組立体及び第２コネクタ組立体の第２コンタクト及び対応する第１コンタクトは、回転接続部を形成することができる。このタイプのコネクタ組立体は、
i）互いに嵌合するコネクタ組立体が異なる方向から嵌合できること、
ii）コネクタ組立体を製造するのに要する部品点数を減らすこと、及び
iii）コネクタ組立体が事実上雌雄同形であること
を含む多様な利点を与える。
【先行技術文献】
【特許文献】
【０００４】
【特許文献１】米国特許出願公開第２００８／０１６６９０１号明細書
【特許文献２】米国特許第２３８４２６７号明細書
【特許文献３】特開昭６３−１０４７９号公報
【特許文献４】特開平９−１１５５８２号公報
【特許文献５】特開平１１−２３３１９７号公報
【特許文献６】米国特許第６２９９４９２号明細書
【特許文献７】特開平１１−３２９５３２号公報
【特許文献８】特開２００１−３４５１４９号公報
【特許文献９】特開２００２−２５２０６３号公報
【発明の概要】
【発明が解決しようとする課題】
【０００５】
コネクタ組立体がパネル部材間に有効接続部を提供するのに対し、コネクタ組立体に電力線を接続するためにコネクタ組立体と嵌合する実装型コネクタは現在、存在しない。本発明が解決しようとする課題は、コネクタ組立体から電力線を迅速に接続及び接続解除することができる電力用コネクタに対するニーズである。
【課題を解決するための手段】
【０００６】
課題を解決するための手段は、少なくとも１個のリセプタクルコンタクト受容キャビティと、電線受容面から嵌合面に延びる少なくとも１個のブレードコンタクト受容キャビティとを有するハウジングを有する電気コネクタにより提供される。少なくとも１個のリセプタクルコンタクト受容キャビティ及び少なくとも１個のブレードコンタクト受容キャビティに隣接して、整列キャビティが配置される。これらの整列キャビティは、嵌合面から電線受容面に向って延びている。リセプタクルコンタクトは、少なくとも１個のリセプタクルコンタクト受容キャビティ内に配置される。リセプタクルコンタクトは、リセプタクル電線受容部及びリセプタクル接触部を有する。リセプタクル電線受容部は、リセプタクル電線受容部に接続された電力線を有する。リセプタクル接触部は、嵌合面近傍の少なくとも１個のリセプタクルコンタクト受容キャビティ内に配置される。ブレードコンタクトは、少なくとも１個のブレードコンタクト受容キャビティ内に配置される。ブレードコンタクトは、ブレード電線受容部及びブレード接触部を有する。ブレード電線受容部は、ブレード電線受容部に接続された電力線を有する。ブレード接触部は、嵌合面近傍の少なくとも１個のブレードコンタクト受容キャビティ内に配置される。コネクタラッチアームがハウジングから延びている。コネクタラッチアームは、嵌合面近傍にラッチ突起を有する。ラッチ突起は、ハウジングに対して移動可能である。
【図面の簡単な説明】
【０００７】
【図１】本発明に従ったプラグコネクタの一実施形態を前側から見た斜視図である。
【図２】プラグコネクタのコンタクトがハウジングから取り除かれた状態を後側から見た斜視図である。
【図３】コンタクトがハウジングから取り除かれた状態のハウジングの中心線で断面をとった斜視図である。
【図４】コンタクトがコンタクトラッチアームと協働して配置された状態の、ハウジングの第２壁に関連したコンタクトの斜視図である。
【図５】リセプタクルコンタクトがハウジング内に配置された状態の、リセプタクルコンタクト受容キャビティの縦軸に沿って断面をとったハウジングの斜視図である。
【図６】嵌合前のプラグコネクタ及び相手コネクタを示す斜視図である。
【図７】嵌合後のプラグコネクタ及び相手コネクタを示す平面図である。
【図８】本発明のプラグコネクタが相手コネクタと嵌合し、プラグコネクタが必要な電力を供給している状態の、互いに嵌合するコネクタにより電気接続された一連の印刷回路基板を示す斜視図である。
【発明を実施するための形態】
【０００８】
以下、添付図面を参照して本発明を説明する。
【０００９】
図１ないし図６を参照すると、プラグコネクタ２はハウジング１０を有し、ハウジング１０内にはリセプタクルコンタクト８０及びブレードコンタクト９０が配置されている。ハウジング１０は、嵌合面１２と、逆向きの電線受容面１４とを有する。第１壁１６、逆向きの第２壁１８（図５参照）、第１側壁２０及び第２側壁２２は、嵌合面１２から電線受容面１４まで延びている。図１に最もよく示されるように、第２側壁２２近傍にコネクタラッチアーム２４が設けられている。コネクタラッチアーム２４は、第１壁１６及び第２壁１８から延びる支軸部材２６を有する。これらの支軸部材２６は、コネクタラッチアーム２４の縦方向中央近傍に配置され、コネクタラッチアーム２４が支軸部材２６の回りに回転できる。嵌合面１２近傍に配置された、コネクタラッチアーム２４の一端に、ラッチ突起２８が設けられている。コネクタラッチアーム２４の反対側の端には、係合解除部材３０が設けられている。
【００１０】
図３に最もよく示されるように、ハウジング１０は、電線受容面１４から嵌合面１２までハウジング１０を貫通するリセプタクルコンタクト受容キャビティ３２及びブレードコンタクト受容キャビティ６２を有する。リセプタクルコンタクト受容キャビティ３２は、電線受容面１４から延びる導入面３４を有する。リセプタクルコンタクト受容キャビティ３２は、導入面３４から嵌合面１２に向って延びる電線受容部３６、固定部３８及び相手コンタクト受容部４０を有する。固定部３８は、図５に示されるように、保持肩４２と、コンタクトラッチアーム突起４６を有するコンタクトラッチアーム４４とを有する。図１ないし図６を再度参照すると、リセプタクルコンタクト受容キャビティ３２の相手コンタクト受容部４０に隣接して、整列キャビティ４８が設けられている。
【００１１】
図６を参照すると、相手コンタクト受容部４０は、第１壁５０と、第１壁５０から離間した第２壁５２とを有する。これら第１及び第２の壁５０，５２は、相手コンタクト受容部４０を部分的に区画する。第１壁５０はその内部に設けられたスロット５４を有し、第２壁５２はその内部に設けられた２個のスロット５６を有する。スロット５４，５６は、以下に説明するように、リセプタクルコンタクト８０を移動可能にする。
【００１２】
図３に最もよく示されるように、ブレードコンタクト受容キャビティ６２は、電線受容面１４から延びる導入面６４を有する。ブレードコンタクト受容キャビティ６２は、導入面６４から嵌合面１２に向って延びる電線受容部６６、固定部６８及び相手コンタクト受容部７０を有する。固定部６８は、保持肩４２（図５参照）と同様の保持肩（図示せず）と、コンタクトラッチアーム突起７６を有するコンタクトラッチアーム７４（図４参照）とを有する。図１ないし図６を再度参照すると、ブレードコンタクト受容キャビティ６２の相手コンタクト受容部７０に隣接して、整列キャビティ７８が設けられている。
【００１３】
図２、図４及び図５に示されるように、リセプタクルコンタクト８０は、電線８９と機械的及び電気的に係合する電線受容部８１を有する。電線８９は、電線８９を通って電力を伝達するよう構成されている。電線受容部８１は、電線８９に圧着されるか、又は他の任意の公知方法で電線８９に接続することができる。電線８９の一部及び電線受容部８１は、リセプタクルコンタクト受容キャビティ３２の電線受容部３６内に維持される。過渡部８２は、電線受容部８１から実装部８３まで延びている。実装部８３は、電線受容部８１の中心からずれている。実装肩８４ａ，８４ｂは実装部８３に設けられている。図５に最もよく示されるように、実装肩８４ａ，８４ｂは、保持肩４２と、ハウジング１０の固定部３８のコンタクトラッチアーム突起４６との協働により、リセプタクルコンタクト受容キャビティ３２の縦軸に沿った移動を防止されている。しかし、弾性コンタクトラッチアーム４４の使用により、ハウジング１０を損傷することなくリセプタクルコンタクト８０を取り外すことができる。作業者は、リセプタクルコンタクト受容キャビティ３２からコンタクトラッチアーム４４及びラッチアーム突起４６を移動させる。これにより、電線受容面１４を通ってリセプタクルコンタクト８０を取り外すことが可能になる。コンタクトラッチアーム４４の弾性特性により、多くのこのようなサイクルを可能にする。図示の実施形態において、実装肩８４ａ，８４ｂは、実装部８３から実装部８３の平面に対してほぼ直交する平面内に延びている。しかし、本発明の範囲から逸脱することなく、実装肩８４ａ，８４ｂの他の構成を使用することができる。
【００１４】
接触部８５は、電線受容部８１から離れる方向へ実装部８３から延びている。接触部８５は弾性接触アーム８６を有する。図示の実施形態において、３本の弾性接触アーム８６が設けられている。これらの弾性接触アーム８６は、第１壁５０及び第２壁５２の各スロット５４，５６と整列して配置されている。弾性接触アーム８６は、弾性特性を強化するよう曲げられている。各弾性接触アーム８６は、相手コンタクトと機械的及び電気的に接続するよう配置された接触領域８７を有する。これらの接触領域８７は、ほぼ一列に整列して配置される。接触領域８７から嵌合面１２に向かって、導入面８８が延びている。プラグコネクタの性能に影響を与えることなく、他の構成の弾性接触アームを使用してもよい。例えば、任意の数の接触アームを使用してもよいし、これら接触アームは、一列配置ではなくなるように互いに離間した接触領域８７を有してもよい。
【００１５】
プラグコネクタ２の組立の際に、電線８９はリセプタクルコンタクト８０の電線受容部８１に接続される。次に、リセプタクルコンタクト８０は、電線受容面１４を通ってリセプタクルコンタクト受容キャビティ３２内に挿入される。導入面３４がリセプタクルコンタクト８０を案内することにより、挿入が容易になる。挿入を継続すると、実装肩８４ｂがラッチアーム突起４６に係合し、コンタクトラッチアーム４４を弾性変位させる。別の実装肩８４ａが保持肩４２に係止すると、実装肩８４ｂはラッチアーム突起４６を越えて移動し、コンタクトラッチアーム４４がその非応力状態に戻ることができる。実装肩８４ａが保持肩４２に当接した状態、及び実装肩８４ｂがラッチアーム突起４６に当接した状態では、図５に示されるように、リセプタクルコンタクト８０はリセプタクルコンタクト受容キャビティ３２内に保持される。
【００１６】
ブレードコンタクト９０は、電線９９と機械的及び電気的に係合する電線受容部９１を有する。電線９９は、電線９９を通って電力を伝達するよう構成される。電線受容部９１は、電線９９に圧着されるか、又は他の任意の公知方法で電線９９に接続することができる。電線９９の一部及び電線受容部９１は、ブレードコンタクト受容キャビティ６２の電線受容部６６内に維持される。過渡部９２は、電線受容部９１から実装部９３まで延びている。実装部９３は、電線受容部９１の中心からずれている。実装肩９４ａ，９４ｂは実装部９３に設けられている。実装肩８４ａ，８４ｂに関して図５に示されたのと同じ方法で、実装肩９４ａ，９４ｂは、保持肩と、ハウジング１０の固定部６８のコンタクトラッチアーム突起７６との協働により、ブレードコンタクト受容キャビティ６２の縦軸に沿った移動を防止されている。しかし、弾性コンタクトラッチアーム７４の使用により、ハウジング１０を損傷することなくブレードコンタクト９０を取り外すことができる。作業者は、ブレードコンタクト受容キャビティ６２からコンタクトラッチアーム７４及びラッチアーム突起７６を移動させる。これにより、電線受容面１４を通ってブレードコンタクト９０を取り外すことが可能になる。コンタクトラッチアーム７４の弾性特性により、多くのこのようなサイクルを可能にする。図示の実施形態において、実装肩９４ａ，９４ｂは、実装部９３から実装部９３の平面に対してほぼ直交する平面内に延びている。しかし、本発明の範囲から逸脱することなく、実装肩９４ａ，９４ｂの他の構成を使用することができる。
【００１７】
接触部９５は、電線受容部９１から離れる方向へ実装部９３から延びている。接触部９５は、ブレードコンタクト９０の材料厚の２倍の厚さの接触部９５を与えるよう、前端９６が折り返されたブレードである。この折り返された前端９６は、相手コンタクトと嵌合する際にブレードコンタクトの座屈防止を補助する弧状形状を有する。プラグコネクタの性能に影響を与えることなく、他の構成の接触部を使用してもよい。例えば、接触部は、接触部から突出する接触領域を有してもよい。
【００１８】
プラグコネクタ２の組立の際に、電線９９はブレードコンタクト９０の電線受容部９１に接続される。次に、ブレードコンタクト９０は、電線受容面１４を通ってブレードコンタクト受容キャビティ６２内に挿入される。導入面６４がブレードコンタクト９０を案内することにより、挿入が容易になる。挿入を継続すると、実装肩９４ｂがラッチアーム突起７６に係合し、コンタクトラッチアーム７４を弾性変位させる。別の実装肩９４ａが保持肩７２に係止すると、実装肩９４ｂはラッチアーム突起７６を越えて移動し、ラッチアーム７４がその非応力状態に戻ることができる。実装肩９４ａが保持肩７２に当接した状態、及び実装肩９４ｂがラッチアーム突起７６に当接した状態では、図５に示されるように、ブレードコンタクト９０はブレードコンタクト受容キャビティ６２内に保持される。
【００１９】
図１、図３及び図６を参照すると、プラグコネクタ２の組立が完了すると、リセプタクルコンタクト受容キャビティ３２及びブレードコンタクト受容キャビティ６２は、ハウジング１０の一部により互いに隔離される。これにより、電力を伝達する際に、リセプタクルコンタクト８０及びブレードコンタクト９０間の短絡等の防止を補助する。
【００２０】
プラグコネクタ２は、図７及び図８に示されるように相手コネクタ１０２に接続するよう構成される。相手コネクタは、図６に最もよく示されるようにハウジング１１０を有し、ハウジング１１０はコネクタ嵌合面１１２及び基板係合面１１４を有する。コネクタ嵌合面１１２から、コネクタ嵌合面１１２とほぼ直交する方向に整列突起１１６が延びている。相手ブレードコンタクト１１８の接触部１２０及び相手リセプタクルコンタクト１２２の接触アーム１２４もまた、コネクタ嵌合面１１２から延びている。コネクタ嵌合面１１２近傍のハウジング１１０の側壁からは、ラッチ肩１２６が延びている。
【００２１】
プラグコネクタ２及び相手コネクタ１０２が移動して嵌合すると、整列突起１１６は各整列キャビティ４８，７８内に移動する。プラグコネクタ２及び相手コネクタ１０２が適切に整列しない場合、整列突起１１６が整列キャビティに入り込まないことにより、相手コネクタ１０２に対するプラグコネクタ２の不正嵌合を防止する。プラグコネクタ２及び相手コネクタ１０２が適切に整列すると、整列キャビティ４８，７８内への整列突起１１６の挿入が継続し、プラグコネクタ２のリセプタクルコンタクト８０が相手コネクタ１０２のブレードコンタクト１１８と嵌合することができ、プラグコネクタ２のブレードコンタクト９０が相手コネクタ１０２のリセプタクルコンタクト１２２と嵌合することができる。コンタクト同士の嵌合前に、整列突起１１６が整列キャビティ４８，７８内に部分的に配置されると、ハウジング１０及び整列突起１１６は、嵌合が生じコンタクト間を電力が伝達される際に、互いに嵌合する各コンタクトの隔離を継続する。
【００２２】
リセプタクルコンタクト８０及びブレードコンタクト１１８が移動して嵌合すると、ブレードコンタクト１１８は、弾性接触アーム８６の導入面８８と係合し、弾性接触アーム８６を互いに離れる方向に移動させる。弾性接触アーム８６は、外側へ弾性変位すると、第１壁５０及び第２壁５２のスロット５４，５６内に移動する。スロット５４，５６の弾性接触アーム８６との協働により、リセプタクルコンタクト８０及びブレードコンタクト９０間の中心線間隔を、相手コネクタ１０２のブレードコンタクト１１８及びリセプタクルコンタクト１２２の中心線間隔と同じにすることができる。スロット５４，５６が無いと、弾性接触アーム８６の移動を許容するために第１壁５０及び第２壁５２をさらに離間する必要があるであろう。離間量の増大は、整列キャビティ４８，７８の間隔及びコンタクト８０，９０の間隔を変更してしまう。これにより、プラグコネクタ２の相手コネクタ１０２との嵌合が阻害されてしまう。
【００２３】
挿入が継続すると、ブレードコンタクト１１８の接触部１２０にわたって接触領域８７が摺動する。弾性接触アーム８６の弾性変位により、接触領域８７が接触部１２０に抗して付勢されると、接触領域８７がワイピング（払拭）動作を与えることにより、接触部１２０又は接触領域８７に存在する汚染物や塵埃を除去する。
【００２４】
ブレードコンタクト９０及びリセプタクルコンタクト１２２が移動して嵌合すると、リセプタクルコンタクト１２２は、ブレードコンタクト９０の折り返された前端９６と係合し、リセプタクルコンタクト１２２の弾性接触アーム１２４を互いに離れる方向に移動させる。弾性接触アーム１２４が外側へ弾性変位すると、ブレードコンタクト９０の接触部９５にわたって弾性接触アーム１２４が摺動する。接触アーム１２４が接触部９５に抗して付勢されると、弾性接触アーム１２４がワイピング動作を与えることにより、接触部９５又は弾性接触アーム１２４に存在する汚染物や塵埃を除去する。
【００２５】
プラグコネクタ２及び相手コネクタ１０２が嵌合完了位置に接近すると、コネクタラッチアーム２４のラッチ突起２８はラッチ肩１２６により弾性変位する。嵌合完了位置に到達すると、ラッチ突起２８はラッチ肩１２６を越えて移動し、コネクタラッチアーム２４はその非応力位置に戻り、ラッチ突起２８がラッチ肩１２６の背後に位置する。ラッチ突起２８及びラッチ肩１２６の協働により、プラグコネクタ２の相手コネクタ１０２からの無用の係合解除が防止される。コネクタラッチアーム２４の使用により、作業者は相手コネクタ１０２からプラグコネクタ２を容易に嵌合解除することができる。これにより、保守、並びに回路基板１４０及び他の部品の補修を容易にすることができる。
【００２６】
プラグコネクタ２の使用により、回路基板に既に使用されている相手コネクタを使用する一連の回路基板又は他のシステムに電力を供給する能力を含む多くの利点がある。プラグコネクタ２の使用により、ユーザが回路基板に電力線を半田付けする必要がなくなる。これにより、より信頼性が高く有効な電力源を提供することができる。所望時にプラグコネクタ２を容易に係合解除できるので、回路基板又は他の部品を補修又は交換する能力が強化される。
【００２７】
コネクタの使用により、回路基板に既に使用されている相手コネクタを使用する一連の回路基板又は他のシステムに電力を供給する能力を含む多くの利点がある。また、コネクタの使用により、ユーザが回路基板に電力線を半田付けする必要がなくなる。これにより、より信頼性が高く有効な電力源を提供することができる。所望時にコネクタを容易に係合解除できるので、回路基板又は他の部品を補修又は交換する能力が強化される。
【符号の説明】
【００２８】
２          電気コネクタ（プラグコネクタ）
１０        ハウジング
１２        嵌合面
１４        電線受容面
２４        コネクタラッチアーム
２８        ラッチ突起
３２        リセプタクルコンタクト受容キャビティ
４０        相手コンタクト受容部
４２        第１保持肩
４４        第１コンタクトラッチアーム
４６        第１ラッチアーム突起
４８，７８  整列キャビティ
５０        壁（第１壁）
５２        壁（第２壁）
５４，５６  スロット
６２        ブレードコンタクト受容キャビティ
７２        第２保持肩
７４        第２コンタクトラッチアーム
７６        第２ラッチアーム突起
８０        リセプタクルコンタクト
８１        リセプタクル電線受容部
８４        リセプタクル実装肩
８５        リセプタクル接触部
８６        弾性接触アーム
８９，９９  電力線
９０        ブレードコンタクト
９１        ブレード電線受容部
９４        ブレード実装肩
９５        ブレード接触部
【図１】
2010067606.tif 000003
【図２】
2010067606.tif 000004
【図３】
2010067606.tif 000005
【図４】
2010067606.tif 000006
【図５】
2010067606.tif 000007
【図６】
2010067606.tif 000008
【図７】
2010067606.tif 000009
【図８】
2010067606.tif 000010